(57)【要約】【課題】記録済の光記録媒体に対して高品位でつなぎ記録を行なうことができるようにする。【解決手段】光記録媒体１につなぎ撮りを行なう場合に、つなぎ撮りを行なおうとしている光記録媒体１を再生・調査して符号誤り率を観測してからつなぎ記録を開始するようにすることにより、光記録媒体の状態に合わせてつなぎ記録を行なうことができるようにして、記録済の光記録媒体に対してつなぎ記録を行なう場合の品位を向上できるようにする。【選択図】図１
2007172706.tif 000002
【特許請求の範囲】
【請求項１】
記録済みのデータが存在する光記録媒体に対し、新たにデータを記録可能に構成された記録再生装置であって、
前記光記録媒体において前記新たなデータの記録開始位置の直前に記録されているデータを再生し、前記再生したデータ中の誤りを観測し、前記観測した誤りの状態に基づいて前記新たなデータの記録動作を変更することを特徴とする記録再生装置。
【請求項２】
記録済みのデータが存在する光記録媒体に対し、新たにデータを記録可能に構成された記録再生装置であって、
前記光記録媒体において前記新たなデータの記録開始位置の直前に記録されているデータを再生し、前記再生したデータ中の誤りを観測する誤り観測手段と、
前記誤り観測手段の観測結果を表示装置に表示する表示制御手段とを有することを特徴とする記録再生装置。
【請求項３】
前記誤りの観測結果に応じて、前記光記録媒体に照射するレーザビームに関連したパラメーターを調整する記録パラメーター調整手段を有することを特徴とする請求項１または２に記載の記録再生装置。
【請求項４】
前記パラメーター調整手段は、前記誤り観測手段により観測された誤り率が設定した閾値よりも悪い場合、前記光記録媒体に対して照射するレーザビームのパワーを調整することを特徴とする請求項３に記載の記録再生装置。
【請求項５】
前記誤り観測手段が観測した誤り率と、予め設定された閾値との比較を行う比較手段を更に有し、
前記表示制御手段は、前記比較手段の比較結果に応じた警告表示を前記表示装置に行なうことを特徴とする請求項２〜４の何れか１項に記載の記録再生装置。
【請求項６】
記録済みのデータが存在する光記録媒体に対し、新たにデータを記録可能に構成された記録再生装置を用いた記録再生方法であって、
前記光記録媒体において前記新たなデータの記録開始位置の直前に記録されているデータを再生し、前記再生したデータ中の誤りを観測し、前記観測した誤りの状態に基づいて前記新たなデータの記録動作を変更することを特徴とする記録再生方法。
【請求項７】
記録済みのデータが存在する光記録媒体に対し、新たにデータを記録可能に構成された記録再生装置を用いた記録再生方法であって、
前記光記録媒体において前記新たなデータの記録開始位置の直前に記録されているデータを再生し、前記再生したデータ中の誤りを観測する誤り観測工程と、
前記誤り観測工程の観測結果を表示装置に表示する表示制御工程とを有することを特徴とする記録再生方法。
【請求項８】
前記誤りの観測結果に応じて、前記光記録媒体に照射するレーザビームに関連したパラメーターを調整する記録パラメーター調整工程を有することを特徴とする請求項６または７に記載の記録再生方法。
【請求項９】
前記パラメーター調整工程は、前記誤り観測工程により観測された誤り率が設定した閾値よりも悪い場合、前記光記録媒体に対して照射するレーザビームのパワーを調整することを特徴とする請求項８に記載の記録再生方法。
【請求項１０】
前記誤り観測工程が観測した誤り率と、予め設定された閾値との比較を行う比較工程を更に有し、
前記表示制御工程は、前記比較工程の比較結果に応じた警告表示を前記表示装置に行なうことを特徴とする請求項７〜９の何れか１項に記載の記録再生方法。
【請求項１１】
記録済みのデータが存在する光記録媒体に対し、新たにデータを記録可能に構成された記録再生装置を用いた記録再生方法をコンピュータに実行させるプログラムであって、
前記光記録媒体において前記新たなデータの記録開始位置の直前に記録されているデータを再生し、前記再生したデータ中の誤りを観測する誤り観測工程と、
前記誤り観測工程の観測結果を表示装置に表示する表示制御工程とを有する記録再生方法をコンピュータに実行させることを特徴とするプログラム。
【請求項１２】
請求項１１に記載のプログラムを記録したことを特徴とするコンピュータ読み取り可能な記録媒体。
【発明の詳細な説明】
【技術分野】
【０００１】
本発明は記録再生装置及び記録再生方法に関し、特に、光記録媒体・光ディスクを記録・再生媒体として動画像・音声などの連続したデータを記録・再生するために用いて好適な技術に関する。
【背景技術】
【０００２】
従来、磁気テープ用の記録・再生装置では、動画像などが既に記録されている磁気テープにつなぎ撮りを行なう場合、まずは記録開始位置から所定期間磁気テープを巻き戻す。そして、各フレームの最後のトラックまで再生を行って磁気テープのテープ状態や記録信号状態を調査する。次に、これからつなぎ記録するべき動画像などの信号を、所定の記録モードに設定して、つなぎ撮り部分で隙間なくフレームの先頭となるトラックから記録を行っていた（例えば、特許文献１参照）。
【０００３】
また、光磁気媒体や光ディスク用の記録・再生装置では、記録中に装置への衝撃や、バッファアンダーラン（buffer under-run）など正常に記録することが不可能な状態になった場合に、一旦記録を中止する。そして、記録条件が改善された後に記録を再開し、記録を再開した個所の記録データが正しく記録できたか否かを検証する手段を有する装置が考えられていた。
【０００４】
具体的な検証手法は、記録再開した個所の前後のデータを再生して同期信号の正常検出と、誤り訂正処理の正常動作を確認し、異常があった場合には書き込み失敗を報告し、正常であった場合は通常に記録を終了する手法であった（例えば、特許文献２参照）。
【０００５】
【特許文献１】特開平１１−３２８７８３号公報
【特許文献２】特開２００１−２６６３５０号公報
【発明の開示】
【発明が解決しようとする課題】
【０００６】
これまで、磁気テープ用の記録・再生装置では、動画像などが既に記録されている磁気テープにつなぎ撮りを行なう場合、まずは記録開始位置から所定期間磁気テープを巻き戻し、各フレームの最後のトラックまで再生を行なうようにしていた。そして、前記再生時に磁気テープのテープ状態や記録信号状態を調査してから隙間なくフレームの先頭となるトラックから記録を行っていた。
【０００７】
それに対して、光記録媒体用の記録・再生装置では、記録済みの光記録媒体に追加あるいは書き換え記録を行なう場合、光記録媒体に既に記録されている情報を再生することなくフレーム終端部分から記録を開始していた。すなわち、光記録媒体用の記録・再生装置の場合は、光記録媒体の状態を調査することなく、記録終了個所を何らかの手法で探索することにより発見して、フレーム終端部分から記録を開始していた。
【０００８】
このため、光記録媒体の状態によっては高品位でつなぎ記録することができない問題点があった。
本発明は前述の問題点にかんがみ、記録済の光記録媒体に対して高品位で記録できるようにすることを目的とする。
【課題を解決するための手段】
【０００９】
本発明の記録再生装置は、記録済みのデータが存在する光記録媒体に対し、新たにデータを記録可能に構成された記録再生装置であって、前記光記録媒体において前記新たなデータの記録開始位置の直前に記録されているデータを再生し、前記再生したデータ中の誤りを観測し、前記観測した誤りの状態に基づいて前記新たなデータの記録動作を変更することを特徴とする。
また、本発明の記録再生装置の他の特徴とするところは、記録済みのデータが存在する光記録媒体に対し、新たにデータを記録可能に構成された記録再生装置であって、前記光記録媒体において前記新たなデータの記録開始位置の直前に記録されているデータを再生し、前記再生したデータ中の誤りを観測する誤り観測手段と、前記誤り観測手段の観測結果を表示装置に表示する表示制御手段とを有することを特徴とする。
【００１０】
本発明の記録再生方法は、記録済みのデータが存在する光記録媒体に対し、新たにデータを記録可能に構成された記録再生装置を用いた記録再生方法であって、前記光記録媒体において前記新たなデータの記録開始位置の直前に記録されているデータを再生し、前記再生したデータ中の誤りを観測する誤り観測工程と、
前記誤り観測工程の観測結果を表示装置に表示する表示制御工程とを有することを特徴とする。
【００１１】
本発明のプログラムは、記録済みのデータが存在する光記録媒体に対し、新たにデータを記録可能に構成された記録再生装置を用いた記録再生方法をコンピュータに実行させるプログラムであって、前記光記録媒体において前記新たなデータの記録開始位置の直前に記録されているデータを再生し、前記再生したデータ中の誤りを観測する誤り観測工程と、前記誤り観測工程の観測結果を表示装置に表示する表示制御工程とを有する記録再生方法をコンピュータに実行させることを特徴とする。
【発明の効果】
【００１２】
本発明によれば、光記録媒体に対し、新たにデータを記録する場合に、前記新たなデータの記録開始位置の直前に記録されているデータを再生・調査して符号誤り率を観測してから新たな記録を開始するようにしたので、記録済の光記録媒体に対して高品位で記録することができる。
また、本発明の他の特徴によれば、符号誤り率の観測結果に応じて、前記光記録媒体に記録するパラメーターを調整するようにしたので、記録品位を更に向上させることができる。
【発明を実施するための最良の形態】
【００１３】
（第１の実施形態）
以下、図面を参照しながら本発明の好適な実施形態を説明する。
第１の実施形態は、光記録媒体記録・再生装置で既に記録済みの光記録媒体につなぎ記録する場合を説明する実施形態である。
本発明の第１の実施形態における光記録媒体記録・再生装置の構成を示すブロック図を図１に示し、データ処理手順の説明を図２のフローチャートに示す。
【００１４】
図１に示したように、本実施形態の記録再生装置は、光記録媒体（ディスク）１、スピンドルモーター２、モーター制御回路３、サーボ・ヘッド部制御回路４、ヘッド部５、ＡＤ／ＤＡ変換器６、ＳＹＮＣ検出器７、変調・復調器８、信号処理回路（ＥＣＣ）９、ＣＰＵ１０、学習制御回路１１、ユーザーインターフェイス１２、表示装置２０などにより構成されている。
【００１５】
このような構成により、光記録媒体１から読み出した動画信号・音声信号などの連続性データを出力データ１４として出力する。また、画像処理部（図示せず）から入力された入力データ１５を符号化処理及び変調処理する。そして、つなぎ記録を行なう場合には、つなぎ記録開始点を検出して光記録媒体１につなぎ記録を行なう。
【００１６】
ディスク１に記録されている動画信号・音声信号などの連続性データは、サーボ・ヘッド部制御回路４で制御されたヘッド部５で読み取って光／電気変換処理し、データ信号として出力される。出力されたデータ信号はＡＤ／ＤＡ変換器６でＡ／Ｄ変換処理される。
【００１７】
ＳＹＮＣ検出器７は、ＡＤ／ＤＡ変換器６によりデジタル信号に変換された再生データから、再生データ中に定期的に埋め込まれている同期信号を検出する。ＳＹＮＣ検出器７により同期信号が検出されることにより、信号処理を行う際の単位ブロックを正確に生成することができるようになる。
【００１８】
変調・復調器８は、ＳＹＮＣ検出器７により同期信号が検出されたブロック毎に復調処理を行い、動画像データを復調して信号処理回路９に送信する。ここで、変調・復調器８から信号処理回路９に与えられるデータは、リードソロモン符号や、ＢＣＨ符号などの所定の符号化方式で符号化されている動画像復調データである。
【００１９】
信号処理回路９は、変調・復調器８から入力された動画像復調データを所定の復号方式に則り復号する。具体的には、動画像復調データは、情報データ部及びパリティ部を有しており、復号処理可能な単位ブロック毎に、誤りを検出するためにシンドロームを算出してからユークリッド法やピーターソン法など数種の解法によりエラーの位置を検出する。次に、エラーの値を算出し、算出したエラー位置とエラー値を基に動画像復調データの誤り訂正処理を行って動画像復調データを復号する。
【００２０】
また、本実施形態においては、信号処理回路９がデータの誤り訂正を行なうとともに、誤り検出も行っている。そして、データ誤り数をバイト単位、またはビット単位で検出してエラーの総数を加算して、ある所定量のデータ中のエラー数を認識して、符号誤り率を算出している。そして、算出した符号誤り率を、符号誤り率情報としてＣＰＵ１０に送信する。
【００２１】
つなぎ記録を行なう場合、ＣＰＵ１０は、信号処理回路９から得られたつなぎ記録開始位置直前に記録されているデータの符号誤り率と、閾値となる所定の設定値とを比較して、符号誤り率の品質を評価する。そして、閾値以上の誤りが検出された場合は、表示装置２０に警告表示して、光記録媒体１の状態異常を装置使用者に報告してから、つなぎ記録を停止する。
【００２２】
また、ＣＰＵ１０は、符号誤り率が閾値以下だった場合は、得られた符号誤り率での光記録媒体１の状態に適したレーザーパワーなどの記録パラメーターの調整を行なうかを判断する。
【００２３】
記録パラメーターを調整する場合は、学習制御回路１１、サーボ・ヘッド部制御回路４、モーター制御回路３、及び再生系信号処理回路（図示せず）にＣＰＵ１０から命令信号を送信して学習と呼ばれる一連の処理を行なう。すなわち、光記録媒体１への試し記録、及び記録したデータの再生動作を行なって各種パラメーターを最適値に調整するようにしている。
【００２４】
記録パラメーターを最適値に調整した後、画像処理部（図示せず）から入力された入力データ１５を符号化処理及び変調処理し、検出したつなぎ記録開始点からつなぎ記録を開始する。
【００２５】
本実施形態の記録再生装置は、このように構成することにより、つなぎ記録開始点を検出した後、そのままつなぎ記録を開始する場合よりも、記録品位向上を図ることが可能となる。
【００２６】
次に、図２のフローチャートを参照しながら第１の実施形態の記録再生装置の処理手順を説明する。
図２に示すように、ユーザインターフェイス１２を操作することにより、ステップＳ２０１でつなぎ記録が開始されると、ステップＳ２０２において、ディスク１に記録されている物理アドレス情報、及び動画像などの記録済み連続性データの記録終端部分を検出して、つなぎ記録開始個所を認識する。
【００２７】
次に、ステップＳ２０３に進み、記録済み連続性データの記録終端部分の記録済みデータをヘッド部５により再生する。そして、再生したデータを信号処理回路９に供給し、信号処理回路９により符号誤り率を検出して光記録媒体１の状態調査を行なう（ステップＳ２０４）。
【００２８】
なお、符号誤り率を検出するために再生する記録済みデータは、これからデータを記録する物理アドレスの直前の連続したアドレスに記録されている場合がほとんどである。しかし、光記録媒体１の管理情報やＣＰＵ１０の指示に基づき、光記録媒体に記録されているデータの終端部と離れた位置に記録する場合もある。その場合、指定されたつなぎ記録開始位置の直前の記録済みデータを再生して光記録媒体１の状態調査を行なうことなる。
【００２９】
ステップＳ２０４における符号誤り率の品質評価の結果、エラーが検出されなければステップＳ２０５に進んで記録を開始し、全てのデータを記録したらステップＳ２０６に進んで記録を終了する。
【００３０】
一方、ステップＳ２０４の判定の結果、エラーが検出された場合にはステップＳ２０７に進み、エラーが閾値以上であるか判定する。ステップＳ２０７の判定の結果、誤りが閾値以上ではなかった場合にはステップＳ２０８に進み、再学習を行なうか判定する。この判定は、予め設定された所定の条件に従って自動的に行なうようにしてもよく、ユーザの指示に従って行なうようにしてもよい。本実施形態においては再学習を行なうか否かを自動的に判定するようにしている。
【００３１】
ステップＳ２０８の判定の結果、再学習を行なう場合にはステップＳ２０９に進み、学習制御回路１１、サーボ・ヘッド部制御回路４、モーター制御回路３、及び再生系信号処理回路（図示せず）にＣＰＵ１０から命令信号を送信して学習と呼ばれる一連の処理を行なう。この処理は、光記録媒体１への試し記録、及び記録したデータの再生を行なう処理である。
【００３２】
ステップＳ２０９の学習処理が終了したらステップＳ２１０に進み、記録パラメーターを調整するか判定する。なお、ステップＳ２０８の判定の結果、再学習を行なわない場合にはステップＳ２０９をジャンプしてステップＳ２１０に進む。ステップＳ２１０の判定の結果、調整を行なわない場合にはステップＳ２１１に進んで記録を開始する。
【００３３】
また、ステップＳ２１０の判定の結果、記録パラメーターを調整する場合にはステップＳ２１２に進み、パラメーターの調整を行なう。記録パラメーターの調整は、前述したように、学習制御回路１１、サーボ・ヘッド部制御回路４、モーター制御回路３、及びＣＰＵ１０等により、光記録媒体１への試し記録、及び記録したデータの再生等を行なっている。
【００３４】
ステップＳ２１２において記録パラメーターを最適値に調整した後、ステップＳ２１１に進み、画像処理部（図示せず）から入力された入力データ１５を符号化処理及び変調処理し、ステップＳ２０２で検出したつなぎ記録開始点からつなぎ記録を開始する。
【００３５】
一方、ステップＳ２０７の判定の結果、閾値以上の誤りが検出された場合は、ステップＳ２１４に進み、ユーザーインターフェイス１２を介して表示装置２０に光記録媒体１の状態異常を警告表示して、装置使用者に報告する。その後、ステップＳ２１５で記録を停止した後、ステップＳ２１６に進んで記録終了する。
【００３６】
（第２の実施形態）
次に、図３及び図４を参照しながら本発明の第２の実施形態を説明する。
第２の実施形態は、光記録媒体記録・再生装置で既に記録済みの光記録媒体１につなぎ記録する場合の実施形態であり、第１の実施形態と異なる点はユーザーインターフェイス制御回路１３が追加されていることである。
【００３７】
本発明の第２の実施形態における光記録媒体記録・再生装置の構成を示すブロック図を図３に示し、データ処理手順を説明するフローチャートを図４に示す。図３において、図１と同様な構成については同一の符号を付して説明を省略する。
【００３８】
本実施形態においては、装置使用者に光記録媒体１の状態異常を表示装置２０に警告表示して報告する場合、図４のフローチャートに示すとおり、符号誤り率に応じて装置の使用者に報告する内容を変えることを特徴とする。例えば、ある所定の値、閾値１よりも符号誤り率が大きかった場合は、（ディスク異常１）の報告を行なう。また、閾値２よりも符号誤り率が大きかった場合は、（ディスク異常２）の報告を行なう。同様に、閾値ｎよりも符号誤り率が大きかった場合は、（ディスク異常ｎ）の報告をユーザーインターフェイス制御回路１３で選択し、ユーザーインターフェイス１２を介して装置使用者に報告する。
【００３９】
表示装置２０に警告表示するディスク異常報告の具体例としては、図５（１）〜（６）に示すように、符号誤り率が大きい順に「記録できません」。「記録可能な媒体か確認してください」。「記録に失敗する可能性大です」。「ディスク表面に傷、汚れがある可能性があります」。「記録に失敗する可能性があります」。「ディスク表面を拭いてください」などの文字でユーザーインターフェイス１２に表示する方法、あるいは記号で表示する方法などがある。
【００４０】
ＣＰＵ１０で、得られた符号誤り率と、閾値となる所定の設定値とを比較して、符号誤り率の品質を評価する。そして、閾値以下の符号誤り率だった場合は、得られた符号誤り率での光記録媒体１の状態に適したレーザーパワーなどの記録パラメーターの調整を行なうかを判断する。
【００４１】
記録パラメーターを調整する場合は、学習制御回路１１、サーボ・ヘッド部制御回路４、モーター制御回路３、及び再生系信号処理回路にＣＰＵから命令信号を送信し、学習と呼ばれる処理を行なう。学習処理は、光記録媒体１への試し記録そして再生動作を行なうことにより各種パラメーターを最適値に調整する処理である。
【００４２】
記録パラメーターを調整後、画像処理部から入力された入力データ１５を符号化そして変調し、検出したつなぎ記録開始点からつなぎ記録を開始して、本発明に関わる信号処理部分の機能は終了する。
【００４３】
以上のような処理を行なうことにより、つなぎ記録開始点を検出後に、そのままつなぎ記録を開始する場合よりも、記録品位の向上を図ることが可能となる。
【００４４】
次に、図４のフローチャートを参照しながら第２の実施形態の記録再生装置の処理手順を説明する。
図４において、ステップＳ４０１〜ステップＳ４１３の処理は、図２のフローチャートにおけるステップＳ２０１〜ステップＳ２１３の処理と同様であるので、詳細な説明を省略する。
【００４５】
ステップＳ４０７の判定の結果、誤りが所定の閾値以上であった場合にはステップＳ４１４に進み、誤りが閾値１以上であるか判定する。この判定の結果、閾値１以上であった場合にはステップＳ４１５に進み、「ディスク異常１」を表示装置２０に表示する。次に、ステップＳ４１６に進み、記録停止処理を行い、その後、ステップＳ４１７に進んで記録を終了する。
【００４６】
一方、ステップＳ４１４の判定の結果、誤りが閾値１以上ではなかった場合にはステップＳ４１８に進み、誤りが閾値２以上であるか判定する。この判定の結果、閾値２以上であった場合にはステップＳ４１９に進み、「ディスク異常２」を表示装置２０に表示する。次に、ステップＳ４２０に進み、記録停止処理を行い、その後、ステップＳ４２１に進んで記録を終了する。
【００４７】
また、ステップＳ４１８の判定の結果、誤りが閾値２以上ではなかった場合にはステップＳ４２２に進み、誤りが閾値ｎ以上であるか判定する。この判定の結果、閾値ｎ以上ではなかった場合にはステップＳ４２３に進み、「ディスク異常ｎ−１」を表示装置２０に表示する。次に、ステップＳ４２４に進み、記録停止処理を行い、その後、ステップＳ４２５に進んで記録を終了する。
【００４８】
また、ステップＳ４２２の判定の結果、閾値ｎ以上であった場合にはステップＳ４２６に進み、「ディスク異常ｎ」を表示装置２０に表示する。次に、ステップＳ４２７に進み、記録停止処理を行い、その後、ステップＳ４２８に進んで記録を終了する。
【００４９】
（本発明に係る他の実施形態）
前述した本発明の実施形態における記録再生装置を構成する各手段、並びに記録再生方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００５０】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００５１】
なお、本発明は、前述した実施形態の機能を実現するソフトウェアのプログラム（実施形態では図２、図４に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００５２】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００５３】
その場合、プログラムの機能を有していれば、オブジェクトコード、インタプリタにより実行されるプログラム、ＯＳに供給するスクリプトデータ等の形態であってもよい。
【００５４】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００５５】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００５６】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００５７】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００５８】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００５９】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６０】
【図１】第１の実施形態を示し、全体ブロック図である。
【図２】第１の実施形態を示し、つなぎ撮り時の処理フローチャートである。
【図３】第２の実施形態を示し、全体ブロック図である。
【図４】第２の実施形態を示し、つなぎ撮り時の処理フローチャートである。
【図５】ディス異常の表示例を示す図である。
【符号の説明】
【００６１】
１  光記録媒体
２  スピンドルモーター
３  モーター制御回路
４  サーボ・ヘッド部制御回路
５  ヘッド部
６  ＡＤ／ＤＡ変換器
７  SYNC検出器
８  変調・復調器
９  信号処理回路
１０  ＣＰＵ
１１  学習制御回路
１２  ユーザーインターフェイス
１３  ユーザーインターフェイス制御回路
１４  出力データ
１５  入力データ
【図１】
2007172706.tif 000003
【図２】
2007172706.tif 000004
【図３】
2007172706.tif 000005
【図４】
2007172706.tif 000006
【図５】
2007172706.tif 000007